(57)【要約】【課題】長いものから比較的短いものまで広範囲に吊り上げられるとともに、耐荷重性が優れた長尺物自動玉掛け吊具を提供する。【解決手段】クレーンにより支持される吊具本体１にモータ１１ａ，１１ｂによりピニオン８ａ，８ｂを回転駆動させる一対の駆動装置を設け、該ピニオンに噛合するラック７ａ，７ｂが形成された一対のビーム６ａ，６ｂを該吊具本体に夫々上下段差をもって支持し、該駆動装置により該ビームが該吊具本体の両側へ略水平に張り出すようにするとともに、垂下アーム対１９，１９を拡縮自在に吊下してなる支持枠体１５ａ，１５ｂを該各ビームの先端部に設け、該垂下アーム対の下端に所定長の吊索２０を張設してなる。【選択図】　図４
2004035195.tif 000002
【特許請求の範囲】
【請求項１】
クレーンにより支持される吊具本体にモータによりピニオンを回転駆動させる一対の駆動装置を設け、該ピニオンに噛合するラックが形成された一対のビームを該吊具本体に夫々上下段差をもって支持し、該駆動装置により該ビームが該吊具本体の両側へ略水平に張り出すようにするとともに、垂下アーム対を拡縮自在に吊下してなる支持枠体を該各ビームの先端部に設け、該垂下アーム対の下端に所定長の吊索を張設してなることを特徴とした長尺物自動玉掛け吊具。
【発明の詳細な説明】
【０００１】
【発明の属する技術分野】
本発明は棒鋼等の重量長尺物をクレーンにより吊り上げるための自動玉掛け吊具に関するものである。
【０００２】
【従来の技術】
棒鋼等の重量長尺物をクレーンにより吊り上げるための自動玉掛け吊具は、従来より実開平２−９９８８６号公報，実開平４−３４２８４号公報，実開平４−６０９９１号公報等により知られているが、これら従来の玉掛け吊具は、吊具本体の両端部に一対の吊アームをシリンダを作動させることにより外方に回転し拡張し得るように構成したものであった。
【０００３】
【発明が解決しようとする課題】
ところで、吊荷である棒鋼等の長尺物製品の長さには長いものから短いものまで非常に大きな幅があるが、従来の上記吊具の構造では長さに対する適用範囲が狭く、実状にそぐわないという問題があった。また、吊アームの回転支点となる枢軸に集中荷重が掛かるので強度が損なわれるという問題があった。
そこで本発明は、長いものから比較的短いものまで広範囲に吊り上げられるとともに、耐荷重性が優れた長尺物自動玉掛け吊具を提供しようとするものである。
【０００４】
【課題を解決するための手段】
そのために本発明に係る長尺物自動玉掛け吊具は、クレーンにより支持される吊具本体にモータによりピニオンを回転駆動させる一対の駆動装置を設け、該ピニオンに噛合するラックが形成された一対のビームを該吊具本体に夫々上下段差をもって支持し、該駆動装置により該ビームが該吊具本体の両側へ略水平に張り出すようにするとともに、垂下アーム対を拡縮自在に吊下してなる支持枠体を該各ビームの先端部に設け、該垂下アーム対の下端に所定長の吊索を張設してなることを特徴とする。
【０００５】
【発明の実施の形態】
次に図面に従い本発明の実施の形態を説明する。図１は本発明に係る長尺物自動玉掛け吊具の正面図、図２はそのＡ−Ａ線断面図である。両端部が開口した台形枠状の吊具本体１は、上面に一対の吊金具２，２が突設され、該吊金具にクレーン（図示せず）ロープのフック３，３を掛けて吊り上げることにより略水平に支持される。該吊具本体１の右半部には３つのガイドローラ４ａを夫々回転自在なるように軸受５ａによって同高に並設し、該ガイドローラ４ａ上にビーム６ａを水平方向にスライド可能に支持し、該ビーム６ａの上面に形成されたラック７ａと噛合するピニオン８ａを軸受９ａによって回転自在に設け、該ピニオン８ａの回転軸にスプロケット１０ａを固着し、減速機付きモータ１１ａに固着したスプロケット１２ａとスプロケット１０ａに無端チェーン１３ａを巻掛している。また、吊具本体１の左半部には３つの同高のガイドローラ４ｂを夫々回転自在なるように軸受５ｂによって前記ガイドローラ４ａとはビーム６ａの厚さ分の上下段差があるように並設し、該ガイドローラ４ｂ上にビーム６ｂを水平方向にスライド可能に支持し、該ビーム６ｂの上面に形成されたラック７ｂと噛合するピニオン８ｂを軸受９ｂによって回転自在に設け、該ピニオン８ｂの回転軸にスプロケット１０ｂを固着し、減速機付きモータ１１ｂに固着したスプロケット１２ｂとスプロケット１０ｂに無端チェーン１３ｂを巻掛している。なお、１４ａ，１４ｂは夫々ピニオン８ａ，８ｂと同高なるように回転自在に設けられラック７ａ，７ｂと噛合することで該ビーム６ａ，６ｂを支持し得る補助ピニオンである。
【０００６】
また、１５ａ，１５ｂはビーム６ａ，６ｂの先端部に設けた支持枠体で、該各支持枠体は、図３に示されるように、ビーム６ａ，６ｂの先端部に水平杆１６および起立片１７を固着し、該水平杆の両端部にピン１８，１８によって一対の垂下アーム１９，１９を拡縮自在に吊下し、該垂下アーム対の下端に所定長のベルト，チェーン等の吊索２０を張設し、該垂下アーム対の略中間部にリンク部材２１，２１をトグル状に組み付け、該リンク部材２１，２１の交点２２を起立片１７に設けた引張バネ２３によって弾性的に圧下し、該弾性により該垂下アーム１９，１９対が拡幅されることで吊索２０が水平に引っ張られるようにしている。
【０００７】
このように構成した玉掛け吊具では、モータ１１ａを駆動しピニオン８ａを回転させることでビーム６ａを一方向に水平に張り出させ、モータ１１ｂを駆動しピニオン８ｂを回転させることでビーム６ｂを他方向に水平に張り出させることができるので、図１に示したように両支持枠体１５ａ，１５ｂの間隔に吊り上げようとする長尺物２４が位置するように調整し、その状態で両支持枠体１５ａ，１５ｂの間隔を狭め、両支持枠体の吊索２０上に該長尺物２４があるようにしてからクレーン操作により吊具本体１を吊り上げれば、図４に示したように、該長尺物２４が該吊索２０により吊り上げられる。そのとき図５に示したように該長尺物２４の荷重によって該吊索２０は撓み引張バネ２３の弾性に抗して垂下アーム１９，１９対は縮まり該長尺物２４は該吊索２０により包まれることから安定的に吊り上げることができる。
【０００８】
また、ビーム６ａ，６ｂは上下段差をもって支持されているので、図６に示したように、該ビーム６ａ，６ｂを吊具本体１内に上下に重なる状態で収縮させることができ両支持枠体１５ａ，１５ｂの間隔をさらに狭められるので、長手のものから比較的短いものまで吊り上げ対処し得る。そして、同図に示すように長尺物の長さに合わせて幅狭にも幅広にもなるので、広範囲に対処できるとともに、狭い工場内を移動させる時に他の物の邪魔にならない利点がある。
【０００９】
【発明の効果】
このように本発明に係る長尺物自動玉掛け吊具は、クレーンにより支持される吊具本体にモータによりピニオンを回転駆動させる一対の駆動装置を設け、該ピニオンに噛合するラックが形成された一対のビームを該吊具本体に夫々上下段差をもって支持し、該駆動装置により該ビームが該吊具本体の両側へ略水平に張り出すようにするとともに、垂下アーム対を拡縮自在に吊下してなる支持枠体を該各ビームの先端部に設け、該垂下アーム対の下端に所定長の吊索を張設してなるので、長いものから比較的短いものまで広範囲に吊り上げられるとともに、従来の玉掛け吊具のように枢軸を有しないので、耐荷重性が優れるなど有益な効果がある。
【図面の簡単な説明】
【図１】本発明の実施形態を示す長尺物自動玉掛け吊具の正面図。
【図２】図１の長尺物自動玉掛け吊具のＡ−Ａ線断面図。
【図３】図１の長尺物自動玉掛け吊具の側面図。
【図４】図１の長尺物自動玉掛け吊具の使用状態を示した正面図。
【図５】図４の長尺物自動玉掛け吊具の側面図。
【図６】図１の長尺物自動玉掛け吊具の使用状態を示した正面図。
【符号の説明】
１　　　　　　　吊具本体
２　　　　　　　吊金具
４ａ，４ｂ　　　ガイドローラ
６ａ，６ｂ　　　ビーム
７ａ，７ｂ　　　ラック
８ａ，８ｂ　　　ピニオン
１１ａ，１１ｂ　モータ
１５ａ，１５ｂ　支持枠体
１９　　　　　　垂下アーム
２０　　　　　　吊索
２４　　　　　　長尺物
【図１】
2004035195.tif 000003
【図２】
2004035195.tif 000004
【図３】
2004035195.tif 000005
【図４】
2004035195.tif 000006
【図５】
2004035195.tif 000007
【図６】
2004035195.tif 000008